(57)【要約】【課題】  支柱を固定出来る植木鉢ならびに植木鉢用支柱固定具を提供する。【解決手段】  植木鉢に支柱を固定出来る孔を設け支柱をたて、つる物等の植物、又背の高くなる植物等支えるネットを張り家庭菜園に適する。【選択図】  図１
2005304463.tif 000002
【特許請求の範囲】
【請求項１】
植木鉢内部の対向する壁部に支柱固定用の固定孔を一対設け、この固定孔位置に差し込む支柱部を有するつる等の支持具を具備した支柱固定孔付き植木鉢。
【請求項２】
固定孔が底部まで貫通したことを特徴とする請求項１記載の支柱固定孔付き植木鉢。
【請求項３】
植木鉢の対向する外壁部に支柱固定の半円の溝を縦方向に一対設け、この固定溝位置に差し込む支柱部を有するつる等の支持具を具備した支柱固定溝付き植木鉢。
【請求項４】
上下に貫通した差し込み孔を有する中央パネルと、中央パネルを任意の植木鉢の上部に係止する係止具とよりなり、該係止具は幅調整機構を有する物である事を特徴とする植木鉢用支柱固定具。
【発明の詳細な説明】
【技術分野】
【０００１】この発明は植木鉢に支柱固定用の孔を設け、支柱を立てネットを張り植物の支えに出来る様にした家庭菜園用の支柱固定孔付き植木鉢ならびに植木鉢用支持固定具に関するものである。
【背景技術】
【０００２】従来の植木鉢は角型、丸型等の形状で壁部と底部に依り構成されていた。
【発明の開示】
【発明が解決しようとする課題】
【０００３】容器自体に支持棒を固定する機能がない為、つるの長くなる植物等を植える時植木鉢には物の支えとしてネット部等を有する枠体や支持棒を植木鉢の土に差し込んでいたので安定性に欠け、倒れたり、傾き、役目を働かないことがあった。本発明は、これらの問題点を解決する為になされたものである。
【課題を解決する為の手段】
【０００４】植木鉢の対向する壁部に一対の固定孔を設ける。又、これに差し込む支持部を有するつる等の支持具を設けてなる。
【発明の効果】
【０００５】植木鉢に支柱用の固定孔を設ける事に依りこの固定孔に支柱を立てその支柱にネットを張り背の高くなるもの、つる等の植物を簡単に安定して作る事が出来る。又、固定孔を底部まで貫通させることで、下が地面であった場合に地面まで刺すことでより植木鉢の固定をはかることが出来る。又、植木鉢用支柱固定具を利用することにより任意の植木鉢において支柱を安定した状態で固定出来る。
【発明を実施する為の最良の形態】
【０００６】以下、本発明の第一実施例について図１から図８にて説明する。
本発明は植木鉢とつる等の支持具で構成される、植木鉢は図１に示すように方形の植木鉢であり、対向する左右側壁に固定孔が設けられている。固定孔は底部まで貫通したものである。支持具は複数のパイプと複数の接合部品及びネット（６）に依り構成される、パイプは縦横に利用されるものであり固定孔間距離の長さの横パイプと左右で同じ長さの対よりなる縦パイプがある。接合部品は図３に示すようにＴ字形とＬ字形がある、ネット（６）はつる支持に適した格子状となったものである、更にネット（６）を固定する為に複数の結束バンド（７）を具備する、本発明は以上の構成よりなり以下のように使用する。
イ）  図１に示すように左右の壁部に一対の支柱差込み用の固定孔を設けた植木鉢（１）に図２の支柱用縦パイプ（２ａ）を差し込む。
ロ）  図２の縦パイプ（２ａ）と横パイプ（３）を図３の接合部品（４、５）を組み合わせて図６に示すように組立てる。
ハ）  組あがった棚に図４のネット（６）を図５の結束バンド（７）にて止める、このネット（６）は組立てた支柱の枠間に張られるもので周辺部のみを止めてもよいが図において安定性を持たせる為中間パイプ部においても結束バンド（７）で止めている。
尚、固定孔は貫通したもの以外に図７に示すように上部から支持するのに耐えられる分の深さで途中まで設けたものであってもよい、又、図８に示すように側部に溝を設けたものであってもよい、この場合土まで差し込むとより固定できる。
【０００７】本発明の第二実施例について図９から図１２を利用して説明する。
中央パネル（９）挿入パネル（８）挿入パネル（１０）の３種類の部材から構成されている。中央パネル（９）は挿入パネル（８）（１０）を受け入れるため左右に貫通した中空部を設ける。又、中間位置の上下板の同位置に支持棒差込み用の固定孔を設けた構造となっている。挿入パネル（８）は中央パネル（９）の中空部の左右内壁に接合して挿入する外側ガイド（１２）を設けた構造となっている。挿入パネル（１０）は内側ガイド（１１）を設けてあり中央パネル（９）の内部に挿入の時、挿入パネル（８）の外側ガイド（１２）と接合出来る構造となっている。挿入パネル（８）挿入パネル（１０）は、各々内ストッパ（１３）外ストッパ（１４）を有しており植木鉢の縁を挟み込む構図になっている。組み立ては中央パネル（９）の中空部で左右の挿入パネル（８）（１０）を内側、外側ガイドにより接合させ挿入パネルの内ストッパ（１３）外ストッパ（１４）により植木鉢の縁に挟み込んで結合させる構造となっている。
本発明は以上の構成よりなり以下のように使用する。
中央パネルの空間部に左右から挿入パネルの内側ガイド、外側ガイドを挿入することで組み合わせる。任意の植木鉢に取り付ける際は、各々の挿入ガイド部を移動させ、内ストッパと外ストッパで植木鉢の縁に挟み込む。このように挿入ガイド部を調整することで幅調整が出来る様になっている。同様にもう一組の支持具を取り付ける。更に支持具の間隔に関しては移動させて調整する、その上で支柱を差込み縦横のパイプを組み立てネットを張って利用する。
【図面の簡単な説明】
【０００８】
【図１】  本発明の支柱固定孔付き植木鉢の斜視図。
【図２】  植木鉢に用いる縦横の支持棒の説明図。
【図３】  支持棒を結合する接合部品の説明図。
【図４】  ネット。
【図５】  結束バンド。
【図６】  本発明の植木鉢を利用した第一実施例の家庭用菜園セットの使用説明図。
【図７】  本発明の他の実施形態を示す断面図。
【図８】  本発明の他の実施形態を示す断面図。
【図９】  第二実施例の組み立て式支柱固定孔付きパネルセットの分解図。
【図１０】  第二実施例の組み立て式支柱固定孔付きパネルセットの分解図。
【図１１】  第二実施例の組み立て式支柱固定孔付きパネルセットの分解図。
【図１２】  組み立てパネルセットを任意の植木鉢に組み合わせた状態の斜視図。
【符号の説明】
【０００９】        １                    植木鉢
２ａ，２ｂ，          縦パイプ
３                    横パイプ
４                    Ｌ型接合部品
５                    Ｔ型接合部品
６                    ネット
７                    結束バンド
８                    挿入パネル
９                    中央パネル
１０                  挿入パネル
１１                  内側ガイド
１２                  外側ガイド
１３                  内側ストッパ
１４                  外側ストッパ
１５                  植木鉢
【図１】
2005304463.tif 000003
【図２】
2005304463.tif 000004
【図３】
2005304463.tif 000005
【図４】
2005304463.tif 000006
【図５】
2005304463.tif 000007
【図６】
2005304463.tif 000008
【図７】
2005304463.tif 000009
【図８】
2005304463.tif 000010
【図９】
2005304463.tif 000011
【図１０】
2005304463.tif 000012
【図１１】
2005304463.tif 000013
【図１２】
2005304463.tif 000014